(57)【特許請求の範囲】
【請求項１】
操作開始位置から操作完了位置まで回転可能とされて互いに対向する一対のレバー本体と、一対の前記レバー本体の先端同士を連結する連結部と、を有するレバーと、
前記連結部を前記操作完了位置で係止して前記レバーの前記操作開始位置側への回転を規制する係止部と、前記係止部が接続されるバネ部と、を有するロック部材と、を備え、
前記レバーの前記連結部は、
前記レバーが前記操作完了位置にあるときに前記係止部と、前記バネ部の一部とを覆うカバー部を有し、
前記カバー部は、
前記係止部の位置から前記操作開始位置に向けて延在しており、
前記ロック部材の前記バネ部において、前記カバー部により覆われる部分よりも前記操作開始位置側の部分は、周囲を前記係止部と同等の高さの保護壁により囲まれている、ことを特徴とするレバー式コネクタ。
【請求項２】
前記バネ部は、前記開始位置側に支持端を、前記完了位置側に前端を、有し、
前記係止部は、前記バネ部の前記前端側に設けられ、
前記カバー部は、前記レバーが前記操作完了位置にあるときに、前記係止部と前記バネ部の前記前端側に対向している、請求項１に記載のレバー式コネクタ。
【請求項３】
前記ロック部材は、前記係止部による前記レバーのロックを解除する解除操作部を有し、
前記解除操作部は、前記操作完了位置にある前記レバーの前記カバー部よりも前記レバーの操作方向前方側に設けられている、請求項２に記載のレバー式コネクタ。
【請求項４】
コネクタのハウジングに保持されるコンタクトに接続された電線を覆う電線カバーであって、
前記電線を収容するとともに所定の向きに引き出すカバー本体と、
前記カバー本体に軸支され、操作開始位置から操作完了位置まで回転可能とされて互いに対向する一対のレバー本体、および一対のレバー本体の先端同士を連結する連結部を有するレバーと、
前記連結部を前記操作完了位置で係止して前記レバーの前記開始位置側への回転を規制する係止部、および前記カバー本体に支持され前記係止部が接続されるバネ部を有するロック部材と、を備え、
前記レバーの前記連結部は、
前記レバーが前記操作完了位置にあるときに前記係止部と、前バネ部の一部とを覆うカバー部を有し、
前記カバー部は、
前記係止部の位置から前記操作開始位置に向けて延在しており、
前記ロック部材の前記バネ部において、前記カバー部により覆われる部分よりも前記操作開始位置側の部分は、周囲を前記係止部と同等の高さの保護壁により囲まれている、ことを特徴とする電線カバー。
【発明の詳細な説明】
【技術分野】
【０００１】
本発明は、レバーを備えたコネクタに関する。また、本発明は、レバーを備えた電線カバー（ワイヤカバー）にも関する。
【背景技術】
【０００２】
近年、自動車の分野で用いられる電気コネクタでは多極化が進んでおり、多極に形成された電気コネクタでは、コネクタ同士の嵌合・嵌合解除の際に大きな力が必要となる。このため、レバーによる倍力効果を利用して相手コネクタとの嵌合および嵌合解除を補助するレバー式コネクタが使用されている（例えば、特許文献１）。
レバー式コネクタでは、レバーを嵌合開始位置から嵌合完了位置まで回転させることによって相手コネクタとの嵌合が完了する。ここで、レバー式コネクタには、嵌合完了位置にあるレバーの嵌合開始側への回転を阻止するロック部材が設けられている。
【０００３】
ロック部材は、特許文献１のように、コンタクトに接続された電線を覆う電線カバーに設けられることがある。図５は、特許文献１のレバー式コネクタを示す。このレバー式コネクタのハウジングには、一端側から電線２が引き出される電線カバー４０が装着されており、この電線カバー４０には、相手コネクタ７０との嵌合を補助するレバー５０と、レバー５０を嵌合完了位置で係止するロック部材６０とが設けられている。ロック部材６０は、板バネ部６１と、板バネ部６１にそれぞれ繋がっている係止片６２と、解除用凸部６３と、を有している。一方、レバー５０は、ロック部材６０の係止片６２に係止される被係止部５１を有している。
相手コネクタとの嵌合時にレバー５０を嵌合完了位置に向けて回転させると、被係止部５１が係止片６２を下向きに押すことで板バネ部６１が撓む。そこからさらにレバー５０を回転させると被係止部５１が係止片６２を乗り越える。このとき、撓む前の状態に板バネ部６１が復帰し、係止片６２が被係止部５１に当たったときのカチッといった音や手の感触が作業者に伝わることで、相手コネクタとの嵌合が完了したことを確認できる。
【先行技術文献】
【特許文献】
【０００４】
【特許文献１】特開２００９−２７２０４６号公報
【発明の概要】
【発明が解決しようとする課題】
【０００５】
特許文献１のような従来のレバー式コネクタでは、レバーをコネクタの嵌合完了位置まで回転させる際に、レバーを操作する手の指の位置によっては、図５（Ｂ）に示すように、板バネ部６１から立設されるロック部材６０の係止片６２および板バネ部６１が指Ｆで押されてしまい、板バネ部６１が撓んだままになることがある。そうすると、板バネ部６１の復帰が阻害されてしまうので、嵌合完了を示す音あるいは手の感触といった操作感が得られず、コネクタの嵌合が完了したことを確認できない。
このため、レバーが嵌合開始側に回転できないことを確認したり、解除用凸部６３を押し下げてロック解除を行ってからレバーを嵌合開始側に一旦戻し、再度、嵌合完了位置までレバーを回転させる、といったやり直しの作業が生じて、作業性が低下してしまう。
【０００６】
本発明は、上記のような課題に基づいてなされたもので、コネクタの嵌合などの作業性を向上させることができる、レバーを備えたコネクタ、およびレバーを備えた電線カバーを提供することを目的とする。
【課題を解決するための手段】
【０００７】
本発明は、レバーを備えたコネクタであり、このレバーは、操作開始位置から操作完了位置まで回転可能とされて互いに対向する一対のレバー本体、および一対のレバー本体の先端同士を連結する連結部を有している。
また、本発明のレバーを備えたコネクタは、レバーの連結部を操作完了位置で係止してレバーの開始位置側への回転を規制する係止部、および係止部が接続されるバネ部を有するロック部材、を備えている。
レバーの連結部は、レバーが操作完了位置にあるときに係止部と、バネ部の一部とを覆うカバー部を有している。
カバー部は、係止部の位置から操作開始位置に向けて延在している。
ロック部材のバネ部において、カバー部により覆われる部分よりも操作開始位置側の部分は、周囲を係止部と同等の高さの保護壁により囲まれている。
【０００８】
本発明のコネクタは、レバーの連結部が有するカバー部により、連結部を操作する指が係止部に接触するのを確実に阻止できる。このため、指が連結部のどの部位を押していようとも、指との接触によってバネ部の復帰が阻害されないので、撓んでいたバネ部が復帰するときの操作感がレバーを押す位置には関係なく常に作業者に伝わる。したがって、レバー操作の後に、上述したやり直しの作業が不要となるので、作業性が向上する。
また、操作感によりレバーが操作完了位置まで回転したことを確認できるため、例えば嵌合が不完全な状態のままでコネクタを使用したり、また、嵌合完了位置を超えてレバーを回転させる無理な操作を行ってレバーやレバー周辺の部材を破損するのを防止できる。
【０００９】
なお、本発明におけるレバーは、倍力効果を利用してコネクタ同士を嵌合するものに限らず、嵌合自体には関与しないレバーと、操作完了位置で連結部を係止してレバーの操作開始位置側への回転を規制するロック部材と、を備えるコネクタに広く適用することができる。その一例として、すでに嵌合が完了しているコネクタ同士の抜け止めを図るレバーがある。このレバーの中には倍力効果を利用しないものも含まれる。すなわち、本願発明におけるレバーは倍力効果を利用することを必須としない。
【００１０】
本発明において、バネ部は、開始位置側に支持端を、完了位置側に先端を有し、係止部は、バネ部の先端側に設けられ、カバー部は、レバーが操作完了位置にあるときに、係止部とバネ部の先端側とに対向していることが好ましい。
レバーが操作完了位置にあるときに、係止部、およびバネ部の先端側は、バネ部の支持端側と比べてレバーの連結部まで近いため指が触れ易く、しかも指で触れた際に撓み易いために、これら係止部、およびバネ部の先端側にカバー部材を対向させる。そうすることで、レバーが完了位置にあるときに、係止部、およびバネ部の先端側と指との間にカバー部が介在するため、これらロック部材の部分への指の接触が阻止される。このため、レバーの操作完了位置への到達に伴うバネ部の復帰による操作感に基づいて、作業の完了をより確実に確認できる。
一方で、バネ部の支持端側に指が触れたとしてもバネ部を撓ませるのは容易ではないから、この部分にまでカバー部を対向させる必要性は小さい。
【００１１】
上記構成の本発明においては、ロック部材は、係止部によるレバーのロックを解除する解除操作部を有し、この解除操作部は、操作完了位置にあるレバーのカバー部よりもレバーの操作方向前方側に設けられている、ことが好ましい。
レバーの操作方向前方は、操作開始位置側から操作完了位置側へと向かう向きを言う。
上記構成においてカバー部は、レバーが完了位置にあるときに、係止部が位置する側から操作開始位置側に向けて（レバーの操作方向後方に）延在しているので、操作完了位置にあるレバーのカバー部から離間した、カバー部よりもレバー操作方向前方側に解除操作部を設けることにより、解除操作部とカバー部との干渉を避けることができる。このため、操作完了位置に向けてレバーを回転させた際に、解除操作部に触れてしまってロックしずらくなることもない。
【００１２】
以上説明した、レバーを備えたコネクタは、電線を覆う電線カバーを備えていてもよい。この場合に、コネクタハウジングにレバーが軸支され、レバーを係止するロック部材を電線カバーが有する構成とすることができる。
あるいは、本発明は、レバーの軸支部とロック部材とのいずれをも電線カバーが有する構成も包含する。すなわち、本発明の電線カバーは、電線を収容するとともに所定の向きに引き出すカバー本体と、カバー本体に軸支され、操作開始位置から操作完了位置まで回転可能とされて互いに対向する一対のレバー本体、および一対のレバー本体の先端同士を連結する連結部を有するレバーと、連結部を操作完了位置で係止してレバーの開始位置側への回転を規制する係止部、およびカバー本体に支持され係止部が接続されるバネ部を有するロック部材と、を備えている。そして、レバーの連結部は、レバーが操作完了位置にあるときに係止部と、バネ部の一部とを覆うカバー部を有している。カバー部は、係止部の位置から操作開始位置に向けて延在している。ロック部材のバネ部において、カバー部により覆われる部分よりも操作開始位置側の部分は、周囲を係止部と同等の高さの保護壁により囲まれている。
この電線カバーは、上述した、レバーを備えたコネクタと同様の構成を備えているので、同様の作用および効果を享受できる。
【発明の効果】
【００１３】
本発明によれば、レバー操作による作業が完了したことを確認できるので、やり直しの作業を排除し、作業性を向上させることができる。
【図面の簡単な説明】
【００１４】
【図１】本発明の実施形態に係る電線カバーの側面図である。
【図２】レバーが嵌合完了位置にあるときの電線カバーの上面図である。
【図３】レバーが嵌合開始位置にあるときの電線カバーの上面図である。
【図４】レバーが嵌合完了位置にあるときの電線カバーの縦断面図である。
【図５】従来の電線カバーであり、（Ａ）は、レバーの操作によりコネクタと相手コネクタとが嵌合した状態を示す図、（Ｂ）は、電線カバーの縦断面図である。
【発明を実施するための形態】
【００１５】
以下、添付図面に示す実施形態に基づいてこの発明を詳細に説明する。
図１〜図４に示すように、本発明の実施形態に係る電線カバー１０は、図示しないコネクタハウジングに装着され、コネクタハウジング内に保持されるコンタクトに接続された図示しない電線を覆うとともに所定の向きに引き出すものである。電線カバー１０はコネクタハウジングとともに、例えば図５に示す相手コネクタ６０と嵌合される電気コネクタを構成する。
なお、本実施形態では、図１における上・下を上・下と定義し、また、電線カバー１０から電線が引き出される側を後、その逆側（連結壁１３が設けられる側）を前と、定義する。
【００１６】
本実施形態の電線カバー１０は、カバー本体１５と、図１に二点鎖線で示した操作（嵌合）開始位置（以下、単に開始位置）と実線で示した操作（嵌合）完了位置（以下、単に完了位置）との間を時計回りまたは反時計回りに回転するレバー２０と、完了位置においてレバー２０の開始位置に向けた回転を規制するロック部材３０と、を備えている。
【００１７】
カバー本体１５は、絶縁性の樹脂により断面略Ｕ字状に形成されており、その開口した下端部１０Ｌ側からコネクタハウジングに装着される。このカバー本体１５は、その内側に電線が収容される電線収容空間１０１を有している。
また、カバー本体１５は、互いに幅方向に対向する一対の側壁１１，１１と、側壁１１，１１の上端を連結する上壁１２と、カバー本体１５の前端側で側壁１１，１１を連結する連結壁１３と、を備えている。
また、カバー本体１５の後端側の上部には、電線を収束して引き出す断面円弧状のフード１４が形成されている。
【００１８】
各々矩形状に形成された側壁１１の長手方向略中央には、カバー本体１５の幅方向の外側に向けて突出する軸部１１０が形成されている。この軸部１１０によってレバー２０がカバー本体１５に回転可能に支持されている。
また、側壁１１には、レバー２０の側面２０Ｂが突き当たることでレバー２０の開始位置を規定する開始位置ストッパ１１２と、レバー２０のレバー本体２３の裏面に形成された凹部２３Ｂに挿入されることで、開始位置にあるレバー２０の完了位置側への回転を規制するロック突起１１３と、がそれぞれ設けられている。
【００１９】
次に、上壁１２の前端側には、ロック部材３０と、ロック部材３０を損傷から保護する保護壁１２１とが上壁１２と一体に形成されている。
ロック部材３０は、上壁１２に後端側の支持端３１Ａで片持ち支持され、前方に向けて延在する板バネ部３１と、板バネ部３１の先端３１Ｂから上向きに連なり、レバー２０（連結部２４の被係止部２４１）を係止する係止片３２と、板バネ部３１の先端３１Ｂから下向きに連なる解除用突起３３と、を有している。
【００２０】
板バネ部３１は、上壁１２の前端から後方に向かって延びる２本のスリットＳを上壁１２の幅方向に間隔をおいて形成することにより、支持端３１Ａを固定端として、上壁１２と一体に形成されている。
【００２１】
係止片３２は、板バネ部３１の先端３１Ｂに接続され、板バネ部３１の撓みに連動して変位する板状の部材であり、その上端３２Ａによってレバー２０を係止する。
係止片３２は複数のリブ３４により支持されている。リブ３４は、係止片３２から後方に沿って板バネ部３１の上面に設けられている。リブ３４により、係止片３２の主に前後方向の剛性が高められている。リブ３４は、係止片３２に続いていて係止片３２と同じ高さの等高部３４１と、等高部３４１から支持端３１Ａ側に向けて次第に低くなる傾斜部３４２と、を有している。
【００２２】
解除用突起３３は、板バネ部３１の先端３１Ｂの下端側から前方に向けて突出している。レバー２０が完了位置にあるときにこの解除用突起３３を押し下げると、ロック部材３０によるロックが解除され、レバー２０は開始位置に向けて回転できるようになる。
【００２３】
また、上壁１２の前端側には、保護壁１２１が、上壁１２の表面と、上壁１２の裏面とのいずれからも立設されている。この保護壁１２１は、平面視した形状がＵ状をなしている。上壁１２の表面側では、保護壁１２１により、矩形状の板バネ部３１の周囲が先端３１Ｂを除いて囲まれている。板バネ部３１の先端３１Ｂは、保護壁１２１の上壁１２から上方の部分よりも前側に突出している。このような保護壁１２１は、上壁１２の表面からの高さが係止片３２およびリブ３４の等高部３４１と同等の高さとされている。また、保護壁１２１の幅方向の寸法は、板バネ部３１の幅と同等に設定されている。この寸法は保護壁１２１の中に人の指Ｆが容易には入らないように設定されている。
なお、上壁１２の裏面側の保護壁１２１の部分により、電線収容空間１０１にある電線が板バネ部３１に接触して板バネ部３１の撓みに影響することがないようになっている。
【００２４】
上壁１２の前端と連結壁１３の上端とは、解除用突起３３の幅方向両側に位置する斜め上向きの傾斜部１８を介して連結されている。傾斜部１８には、レバー２０の前端２４Ａに突き当たることで完了位置を規定する完了位置ストッパ１８１が突設されている。
【００２５】
次に、レバー２０について説明する。
レバー２０は、両方の側壁１１を挟んで互いに対向する一対のレバー本体２３と、これらレバー本体２３の先端２３Ａ同士を連結する連結部２４と、両方の側壁１１の軸部１１０がそれぞれ挿入される一対の軸孔２１と、軸孔２１の周囲に形成されたギヤ２２と、を有している。
軸孔２１には。軸孔２１と先端２３Ａとを結ぶ方向が上下方向に一致する角度で軸部１１０が挿入され、この角度からレバー２０が回転されることで、軸孔２１からの軸部１１０の抜け止めが図られている。
ギヤ２２は、軸孔２１の周囲において先端２３Ａとは反対側に位置する角度範囲に形成されており、相手コネクタのコネクタハウジングが有しているラックと噛み合う。
【００２６】
連結部２４は、レバー２０が完了位置にあるときロック部材３０の係止片３２に係止される被係止部２４１と、レバー２０が完了位置まで回転される際に係止片３２および板バネ部３１の先端３１Ｂ側（先端３１Ｂ近傍の部分）を覆う矩形板状のカバー部２４２と、レバー２０を完了位置あるいは開始位置に向けて押すための押圧凸部２４３と、を有している。
被係止部２４１は、連結部２４の裏面に形成されており、完了位置へのレバー２０の接近に伴い係止片３２を下向きに押圧する押圧面２４１Ａと、押圧面２４１Ａよりも後側に位置し、レバー２０が完了位置に到達したときに係止片３２が挿入される凹部２４１Ｂと、を有している。凹部２４１Ｂの内壁に対して、係止片３２が後方側から係止している。このようにしてレバー２０の開始位置側への回転が規制されていれば、凹部２４１Ｂの内壁と係止片３２との間には隙間があってもよい。
押圧凸部２４３は、連結部２４の幅方向中央に設けられており、レバー本体２３の回転半径方向にほぼ沿って突出している。この押圧凸部２４３は、連結部２４において押圧面２４１Ａが形成された部分の表面側に設けられている。
【００２７】
本実施形態の連結部２４は、側壁１１を正面から見たとき、押圧凸部２４３の基端近傍の位置から連結部２４の前端２４Ａまで下る部分に対して、カバー部２４２が交差した山形に形成されている。
【００２８】
レバー２０が完了位置にあるとき、カバー部２４２は、係止片３２の位置から開始位置側に向けて上壁１２と略平行に延在している。このとき、カバー部２４２は、係止片３２と、板バネ部３１の先端３１Ｂ側と、リブ３４の等高部３４１とに対向し、これらを覆っている。係止片３２およびリブ３４の等高部３４１と、カバー部２４２との間には、指Ｆが入り込む隙間がない。
なお、レバー２０が開始位置にあるとき、図１に示すように、カバー部２４２が上壁１２に当たらないようになっている。
【００２９】
以上説明した構成の電線カバー１０を用いてコネクタと相手コネクタとを嵌合させるには、レバー２０を図１に二点鎖線で示した開始位置に位置させた状態でギヤ２２を相手コネクタのラックに噛み合わせ、電線カバー１０をコネクタに装着する。また、コネクタと相手コネクタとの双方のコネクタハウジングを向かい合わせ、一方のハウジング内に他方のハウジングの端部を挿入して軽く嵌合された状態とする。
【００３０】
開始位置にあるレバー２０の押圧凸部２４３を完了位置に向けて指Ｆで押すと、レバー２０の凹部２３Ｂからロック突起１１３が離脱し、レバー２０を完了位置まで回転させることができる。そのまま押圧凸部２４３を指Ｆで押し続けると、ギヤ２２およびラックの連動に伴って、相手コネクタのコネクタハウジングに向けてコネクタハウジングが押し込まれる。その際に、完了位置にレバー２０が接近すると押圧面２４１Ａが係止片３２を押圧し、これによって板バネ部３１が下向きに撓む。係止片３２、および解除用突起３３はこの撓みに伴って下向きに変位する。そこからさらにレバー２０をその前端２４Ａが完了位置ストッパ１８１に突き当たるまで回転させると、押圧面２４１Ａが係止片３２を乗り越えてレバー２０は完了位置に到達する。このとき、板バネ部３１の弾性力によって係止片３２が板バネ部３１とともに元の位置に復帰すると、レバー２０の凹部２４１Ｂに係止片３２が挿入されることでレバー２０が完了位置で係止される。以上のようにして、コネクタと相手コネクタとの嵌合が完了する。
【００３１】
ここで、レバー２０を完了位置まで回転させる際、少なくとも、完了位置へのレバー２０の接近に伴って押圧面２４１Ａが係止片３２を押圧し始めてから、完了位置へのレバー２０の到達に伴い係止片３２がレバー２０を係止するまでの間、カバー部２４２が係止片３２、等高部３４１、および板バネ部３１の先端３１Ｂ側と、指Ｆとの間に介在し、これらの部分を覆っている。このため。図４に示すように、押圧凸部２４３から開始位置側に指Ｆの位置がずれていたとしても、係止片３２、等高部３４１、および板バネ部３１の先端３１Ｂ側に指Ｆが接触する機会がない。これによって、板バネ部３１の復帰が確実に行われ、係止片３２が凹部２４１Ｂの内部に当たったときの音や感触が作業者に伝わる。この音や感触に基づいて、コネクタと相手コネクタとの嵌合作業が完了したことを確認でき、コネクタの嵌合作業を効率的に行うことができるので、作業性が向上する。
【００３２】
なお、レバー２０が完了位置にあるときに、板バネ部３１の支持端３１Ａ側、およびリブ３４の傾斜部３４２は、係止片３２やリブ３４の等高部３４１、および板バネ部３１の先端３１Ｂ側と比べてレバー２０の連結部２４まで遠いため指Ｆが触れ難く、しかも指Ｆで触れた際に撓み難い。このため、これら板バネ部３１の支持端３１Ａ側、およびリブ３４の傾斜部３４２は、カバー部２４２によって覆われていなくてもよい。
【００３３】
本実施形態では、板バネ部３１の周囲に保護壁１２１が設けられている。保護壁１２１は、前述したように、係止片３２およびリブ３４と同等の高さとされており、かつ保護壁１２１の幅方向の間隔は人の指Ｆが容易には入らない程度に狭い。したがって、レバー２０を完了位置に向けて操作する際に、指Ｆが係止片３２、リブ３４、および板バネ部３１に接触しづらくはなっている。このような保護壁１２１が設けられていることからも、板バネ部３１の支持端３１Ａ側、およびリブ３４の傾斜部３４２は、カバー部２４２によって覆われていなくてもよい。
【００３４】
コネクタと相手コネクタとの嵌合を解除する際には、カバー部２４２よりも前側に（開始位置から完了位置までレバーを操作する際の操作方向前方に）位置している解除用突起３３を押し下げ、レバー２０の被係止部２４１から離間させることで、ロック部材３０によるロックを解除する。そして、レバー２０を後方に向けて開始位置まで回転させると、ギヤ２２およびラックの連動によって相手コネクタのコネクタハウジングからコネクタハウジングが引き抜かれ、コネクタの嵌合が解除される。
【００３５】
なお、連結部２４が押圧凸部２４３およびカバー部２４２を仮に有していないとすると、レバー２０の完了位置への接近に伴ってロック部材３０に近接する指Ｆを遮るものがなく、ロック部材３０はいわばむき出しの状態になるので、ロック部材３０の係止片３２および板バネ部３１の先端３１Ｂ側に指Ｆが接触する可能性が高い。
また、連結部２４が押圧凸部２４３を有していれば、ここを指Ｆで押している限りロック部材３０に指Ｆが接触することはないが、押圧凸部２４３から指Ｆがずれるとロック部材３０に指Ｆが接触することもある。つまり、連結部２４がカバー部２４２を有していることで、ロック部材３０に指Ｆが接触するのを確実に避けることできる。
【００３６】
なお、上記実施形態として、コネクタに装着される電線カバーを例にとり、本発明を説明したが、本発明は、勿論、電線カバーが装着されていないコネクタにも適用できる。
【００３７】
以上で述べた以外にも、本発明の主旨を逸脱しない限り、上記実施の形態で挙げた構成を取捨選択したり、他の構成に適宜変更することが可能である。
本発明におけるカバー部は、上記実施形態で例示したような板状のもののように、係止部およびバネ部を隙間なく覆うものに限らず、係止部およびバネ部への指の接触を阻止できる限り、例えば、櫛歯状、網目状のように部分的に隙間が空いているなどの各種形状のものを包含する。また、本発明は、カバー部がロック部材のバネ部の全体を覆うことを許容する。
【符号の説明】
【００３８】
１０   電線カバー
１０Ｌ 下端部
１１   側壁
１２   上壁
１３   連結壁
１４   フード
１５   カバー本体
１８   傾斜部
２０   レバー
２０Ｂ 側面
２１   軸孔
２２   ギヤ
２３   レバー本体
２３Ａ 先端
２３Ｂ 凹部
２４   連結部
２４Ａ 前端
３０   ロック部材
３１   板バネ部（バネ部）
３１Ａ 支持端
３１Ｂ 先端
３２   係止片（係止部）
３２Ａ 上端
３３   解除用突起（解除操作部）
３４   リブ
１０１ 電線収容空間
１１０ 軸部
１１２ 開始位置ストッパ
１１３ ロック突起
１２１ 保護壁
１８１ 完了位置ストッパ
２４１ 被係止部
２４１Ａ 押圧面
２４１Ｂ 凹部
２４２ カバー部
２４３ 押圧凸部
３４１ 等高部
３４２ 傾斜部
Ｆ     指
Ｓ     スリット
【図１】
0005968605.tif 000002
【図２】
0005968605.tif 000003
【図３】
0005968605.tif 000004
【図４】
0005968605.tif 000005
【図５】
0005968605.tif 000006